(57)【特許請求の範囲】
【請求項１】
水回りの機器を遠隔操作するための操作ボタンと、
前記機器の設定状態を変更するための変更部であって、電力を消費せずに前記設定状態を表示可能な変更部と、
前記操作ボタンの操作に基づいて前記機器を遠隔操作する信号を生成し、前記変更部の操作に基づいて前記機器の前記設定状態を変更する信号を生成する制御部と、
前記操作ボタンの前記操作および前記変更部の前記操作に応じて発電を行う発電部と、
前記制御部と前記発電部とを収納するリモコン本体と、
を備え、
前記変更部は、
前記リモコン本体に対して摺動可能な操作部と、
前記操作部の摺動に応じて前記発電部を押圧する部材を有する伝達部と、
を有し、
前記設定状態は、前記操作部の位置によって表示され、
前記制御部は、前記操作部の前記位置に応じて前記機器の前記設定状態を変更する前記信号を生成することを特徴とするリモコン装置。
【請求項２】
水回りの機器を遠隔操作するための操作ボタンと、
前記機器の設定状態を変更するための変更部であって、電力を消費せずに前記設定状態を表示可能な変更部と、
前記操作ボタンの操作に基づいて前記機器を遠隔操作する信号を生成し、前記変更部の操作に基づいて前記機器の前記設定状態を変更する信号を生成する制御部と、
前記操作ボタンの前記操作および前記変更部の前記操作に応じて発電を行う発電部と、
を備え、
前記変更部は、
回転可能な回転部と、
前記回転部の回転と連動して前記発電部を押圧する部材を有する伝達部と、
を有し、
前記設定状態の表示は、前記回転に応じて変更され、
前記制御部は、前記回転に応じて前記機器の前記設定状態を変更する前記信号を生成することを特徴とするリモコン装置。
【請求項３】
水回りの機器を遠隔操作するための操作ボタンと、
前記機器の設定状態を変更するための変更部であって、電力を消費せずに前記設定状態を表示可能な変更部と、
前記操作ボタンの操作に基づいて前記機器を遠隔操作する信号を生成し、前記変更部の操作に基づいて前記機器の前記設定状態を変更する信号を生成する制御部と、
前記操作ボタンの前記操作および前記変更部の前記操作に応じて発電を行う発電部と、
前記制御部と前記発電部とを収納するリモコン本体と、
を備え、
前記変更部は、
前記リモコン本体に対して移動可能な操作部と、
前記操作部の移動に応じて前記発電部を押圧する部材を有する伝達部と、
を有し、
前記設定状態は、前記操作部の位置によって表示され、
前記制御部は、前記操作部の前記位置に応じて前記機器の前記設定状態を変更する前記信号を生成することを特徴とするリモコン装置。
【請求項４】
前記変更部は、第１部材をさらに有し、
前記伝達部は、前記第１部材と係合し前記発電部を押圧する第２部材を有し、
前記回転部は、前記第１部材が操作されることで回転することを特徴とする請求項２に記載のリモコン装置。
【請求項５】
前記回転部は、前記設定状態を表示する表示部と、操作軸と、を有し、
前記表示部は、前記操作軸の回転動作によって回転することを特徴とする請求項２に記載のリモコン装置。
【請求項６】
前記変更部の前記操作は、前記設定状態を少なくとも３以上の設定状態のいずれか１つとすることを特徴とする請求項１〜５のいずれか１つに記載のリモコン装置。
【請求項７】
前記変更部の前記操作は、クリック感を生じさせることを特徴とする請求項１〜６のいずれか１つに記載のリモコン装置。
【請求項８】
前記機器は、衛生洗浄装置であることを特徴とする請求項１〜７のいずれか１つに記載のリモコン装置。
【発明の詳細な説明】
【技術分野】
【０００１】
本発明の態様は、一般的に、リモコン装置に関する。
【背景技術】
【０００２】
電子機器は、リモコン装置によって遠隔操作が可能である。例えば、トイレ装置に設けられる衛生洗浄装置を遠隔操作するリモコン装置は、複数の操作ボタン（スイッチ）を有し、操作された操作ボタンに対応する制御信号を衛生洗浄装置へと送る。このようなリモコン装置において、操作ボタンの押下操作に応じて発電を行う圧電発電装置を内部に設けることが、特許文献１に開示されている。
【０００３】
このような発電式のリモコン装置（以下、「発電リモコン」と称することがある）には、例えば、圧電発電装置が発電した電力を蓄積する蓄電部と、制御信号を発するための制御部と、設けることができる。蓄電部の蓄電量が所定のレベルに達すると、制御部に電力が供給され、衛生洗浄装置に制御信号が無線で送信される。これにより、衛生洗浄装置との信号線の配線や、リモコン装置の電源の配線を行う必要がなく、リモコン装置の設置を容易にすることができる。また、電池交換などを行う必要もなく、電池式のリモコン装置に比べて、メンテナンス性を向上させることもできる。
【０００４】
一方、従来の衛生洗浄装置では、衛生洗浄時に噴射される洗浄水の勢いや、洗浄水を噴射するノズルの位置などを使用者が設定することができる。そこで、従来の衛生洗浄装置には、使用者に対して衛生洗浄装置の設定を表示するための手段として、ＬＥＤや液晶が搭載されている。
【先行技術文献】
【特許文献】
【０００５】
【特許文献１】特開２００６−００９２８０号公報
【発明の概要】
【発明が解決しようとする課題】
【０００６】
使用者による操作ボタンの押下操作によって発電される電力は、限られたものである。このため、発電リモコンでは、衛生洗浄装置の設定を表示するためのＬＥＤや液晶に電力を供給することが難しい。つまり、発電リモコンにおいて、使用者が衛生洗浄装置の設定状態を確認できないおそれがある。
【０００７】
本発明は、かかる課題の認識に基づいてなされたものであり、発電式のリモコン装置において、消費電力を抑制しつつ使用者に機器の設定状態を表示することを目的とする。
【課題を解決するための手段】
【０００８】
第１の発明は、水回りの機器を遠隔操作するための操作ボタンと、前記機器の設定状態を変更するための変更部であって、電力を消費せずに前記設定状態を表示可能な変更部と、前記操作ボタンの操作に基づいて前記機器を遠隔操作する信号を生成し、前記変更部の操作に基づいて前記機器の前記設定状態を変更する信号を生成する制御部と、前記操作ボタンの前記操作および前記変更部の前記操作に応じて発電を行う発電部と、前記制御部と前記発電部とを収納するリモコン本体と、を備え、前記変更部は、前記リモコン本体に対して摺動可能な操作部と、前記操作部の摺動に応じて前記発電部を押圧する部材を有する伝達部と、を有し、前記設定状態は、前記操作部の位置によって表示され、前記制御部は、前記操作部の前記位置に応じて前記機器の前記設定状態を変更する前記信号を生成することを特徴とするリモコン装置である。
【０００９】
このリモコン装置によれば、限られた電力を使って機器に信号を送る発電リモコンにおいて、機器の設定状態の表示に電力を消費しないため、発電リモコンの省電力動作を実現しつつ使用者が機器の設定状態を確認することができる。また、このリモコン装置によれば、簡易な構成によって、発電リモコンの省電力動作と使用者への設定状態の表示とを実現することができる。
【００１０】
第２の発明は、水回りの機器を遠隔操作するための操作ボタンと、前記機器の設定状態を変更するための変更部であって、電力を消費せずに前記設定状態を表示可能な変更部と、前記操作ボタンの操作に基づいて前記機器を遠隔操作する信号を生成し、前記変更部の操作に基づいて前記機器の前記設定状態を変更する信号を生成する制御部と、前記操作ボタンの前記操作および前記変更部の前記操作に応じて発電を行う発電部と、を備え、前記変更部は、回転可能な回転部と、前記回転部の回転と連動して前記発電部を押圧する部材を有する伝達部と、を有し、前記設定状態の表示は、前記回転に応じて変更され、前記制御部は、前記回転に応じて前記機器の前記設定状態を変更する前記信号を生成することを特徴とするリモコン装置である。
【００１１】
このリモコン装置によれば、限られた電力を使って機器に信号を送る発電リモコンにおいて、機器の設定状態の表示に電力を消費しないため、発電リモコンの省電力動作を実現しつつ使用者が機器の設定状態を確認することができる。また、このリモコン装置によれば、回転部の回転によって機器の設定状態が変更可能なため、コンパクトな構成によって、発電リモコンの省電力動作と使用者への設定状態の表示とを実現することができる。
【００１２】
第３の発明は、水回りの機器を遠隔操作するための操作ボタンと、前記機器の設定状態を変更するための変更部であって、電力を消費せずに前記設定状態を表示可能な変更部と、前記操作ボタンの操作に基づいて前記機器を遠隔操作する信号を生成し、前記変更部の操作に基づいて前記機器の前記設定状態を変更する信号を生成する制御部と、前記操作ボタンの前記操作および前記変更部の前記操作に応じて発電を行う発電部と、前記制御部と前記発電部とを収納するリモコン本体と、を備え、前記変更部は、前記リモコン本体に対して移動可能な操作部と、前記操作部の移動に応じて前記発電部を押圧する部材を有する伝達部と、を有し、前記設定状態は、前記操作部の位置によって表示され、前記制御部は、前記操作部の前記位置に応じて前記機器の前記設定状態を変更する前記信号を生成することを特徴とするリモコン装置である。
【００１３】
このリモコン装置によれば、限られた電力を使って機器に信号を送る発電リモコンにおいて、機器の設定状態の表示に電力を消費しないため、発電リモコンの省電力動作を実現しつつ使用者が機器の設定状態を確認することができる。また、簡易な構成によって、発電リモコンの省電力動作と使用者への設定状態の表示とを実現することができる。
【００１４】
第４の発明は、第２の発明において、前記変更部は、第１部材をさらに有し、前記伝達部は、前記第１部材と係合し前記発電部を押圧する第２部材を有し、前記回転部は、前記第１部材が操作されることで回転することを特徴とするリモコン装置である。
【００１５】
このリモコン装置によれば、第１部材の操作によって、発電部の発電と回転部の回転とを実行できるため、操作性を向上させることができる。
【００１６】
第５の発明は、第２の発明において、前記回転部は、前記設定状態を表示する表示部と、操作軸と、を有し、前記表示部は、前記操作軸の回転動作によって回転することを特徴とするリモコン装置である。
【００１７】
このリモコン装置によれば、使用者による操作軸の回転動作によって設定状態を変更できるため、使用感を向上させることができる。
【００１８】
第６の発明は、第１〜第５のいずれか１つの発明において、前記変更部の前記操作は、前記設定状態を少なくとも３以上の設定状態のいずれか１つとすることを特徴とするリモコン装置である。
【００１９】
このリモコン装置によれば、３以上の設定状態を有する機器において、機器の設定状態の確認を容易とすることができる。
【００２０】
第７の発明は、第１〜第６のいずれか１つの発明において、前記変更部の前記操作は、クリック感を生じさせることを特徴とするリモコン装置である。
【００２１】
このリモコン装置によれば、クリック感により、設定状態が変更されたことを確実に使用者に知らせることができる。
【００２２】
第８の発明は、第１〜第７のいずれか１つの発明において、前記機器は、衛生洗浄装置であることを特徴とするリモコン装置である。
【００２３】
このリモコン装置によれば、消費電力を抑制しつつ、衛生洗浄装置の機能の設定状態を使用者に表示することができる。
【発明の効果】
【００２４】
本発明の態様によれば、発電式のリモコン装置において、消費電力を抑制しつつ使用者に機器の設定状態を表示することができる。
【図面の簡単な説明】
【００２５】
【図１】本発明の実施の形態に係る衛生洗浄装置用のリモコン装置を表す模式的斜視図である。
【図２】第１の実施形態に係るリモコン装置を例示する模式的正面図である。
【図３】第１の実施形態に係るリモコン装置を例示するブロック図である。
【図４】第１の実施形態に係るリモコン装置の内部構造を例示する模式図である。
【図５】第１の実施形態に係るリモコン装置の一部を例示する模式図である。
【図６】第１の実施形態に係るリモコン装置の一部を例示する模式図である。
【図７】第１の実施形態に係るリモコン装置の動作を例示する模式図である。
【図８】第１の実施形態に係る他の設定位置の検出方法を例示する模式図である。
【図９】第２の実施形態に係るリモコン装置を例示する模式的正面図である。
【図１０】第２の実施形態に係るリモコン装置の内部構造を例示する模式図である。
【図１１】第２の実施形態に係る回転部を例示する模式図である。
【図１２】第２の実施形態に係る変更部の一部を例示する模式図である。
【図１３】第２の実施形態に係る変更部の一部を例示する模式図である。
【図１４】第２の実施形態に係る変更部の一部を例示する模式図である。
【図１５】第２の実施形態に係る他のリモコン装置を例示する模式図である。
【図１６】第２の実施形態に係る他の変更部を例示する模式図である。
【図１７】第２の実施形態に係る他の変更部の一部を例示する模式図である。
【図１８】第２の実施形態に係る他の変更部の一部を例示する模式図である。
【図１９】第２の実施形態に係る他の設定状態の検出方法を例示する模式図である。
【発明を実施するための形態】
【００２６】
以下、本発明の実施の形態について図面を参照しつつ説明する。なお、各図面中、同様の構成要素には同一の符号を付して詳細な説明は適宜省略する。  
本発明の実施の形態にかかるリモコン装置は、例えば、トイレ室、浴室、キッチン、およびシャワーブースなどの水回り設備（機器）に使用される。以下では、トイレに設置される衛生洗浄装置用のリモコン装置を例に挙げ説明する。つまり、リモコン装置により操作される機器が衛生洗浄装置である場合を例に挙げ説明する。但し、本発明の実施の形態にかかるリモコン装置は、衛生洗浄装置用のリモコン装置には限定されない。
【００２７】
（第１の実施形態）  
図１は、本発明の実施の形態に係る衛生洗浄装置用のリモコン装置を表す模式的斜視図である。  
図１に表したように、本実施形態にかかる衛生洗浄装置用のリモコン装置（以下、単に「リモコン装置」と称する）１０は、例えばトイレ室の壁面２００に設置され、トイレ装置１００とともに用いられる。
【００２８】
トイレ装置１００は、洋式腰掛便器（以下、単に「便器」と称する）１１０と、便器１１０の上に設けられた衛生洗浄装置１２０と、を備える。  
衛生洗浄装置１２０は、例えば、衛生洗浄機能と、局部乾燥機能と、便座暖房機能と、音発信機能と、ノズル洗浄機能と、を有する。衛生洗浄機能は、便座１２４に座った使用者の「おしり」などをノズル１２８により洗浄する洗浄動作を行う機能である。局部乾燥機能は、便座１２４に座った使用者の「おしり」などに温風を吹き付けることにより、衛生洗浄によって濡れた「おしり」などを乾燥させる乾燥動作を行う機能である。便座暖房機能は、便座１２４の着座面を適温に温める便座加熱動作を行う機能である。音発生機能は、例えば水洗音などを擬似的に発する機能である。ノズル洗浄機能は、ノズル１２８の外側および内側に洗浄水（除菌水）を流すことで、ノズル１２８を洗浄する機能である。
【００２９】
衛生洗浄装置１２０は、リモコン装置１０から送信された無線信号に基づいて、例えば衛生洗浄機能、局部乾燥機能、便座暖房機能、音発信機能およびノズル洗浄機能のいずれかの動作を実行する。また、衛生洗浄装置１２０の上述の機能の設定状態は、使用者によって変更可能である。例えば、衛生洗浄装置１２０は、衛生洗浄時に噴射される洗浄水の勢い、洗浄位置（ノズル１２８の位置）、発せられる音の音量、または、着座面の温度、などの設定状態を変更することができる。
【００３０】
リモコン装置１０は、衛生洗浄装置１２０を遠隔操作するための操作ボタン１２と、衛生洗浄装置の設定状態を変更するための変更部１３と、を有する。
【００３１】
リモコン装置１０は、操作ボタン１２の操作を検出し、操作された操作ボタン１２に基づいた無線信号を衛生洗浄装置１２０に送信する。衛生洗浄装置１２０は、リモコン装置１０から送信された無線信号を受信し、その無線信号に応じた動作を実行する。また、リモコン装置１０は、変更部１３の操作を検出し、検出された変更部１３の操作に基づいた無線信号を衛生洗浄装置１２０に送信する。衛生洗浄装置１２０は、この無線信号を受信し、無線信号に応じて設定状態を変更する。このように、リモコン装置１０は、使用者の操作に応じて、所定の動作の実行および設定の変更を衛生洗浄装置１２０に指示する。
【００３２】
図２は、第１の実施形態に係るリモコン装置を例示する模式的正面図である。  
図２に表したように、リモコン装置１０は、複数の操作ボタン１２と、変更部１３と、各操作ボタン１２及び変更部１３を支持するリモコン本体１４（筐体）と、を備える。
【００３３】
複数の操作ボタン１２は、例えば、操作ボタン１２ａ〜１２ｅを含む。操作ボタン１２ａは、おしり洗浄の開始を指示するためのボタンである。操作ボタン１２ｂは、ビデ洗浄の開始を指示するためのボタンである。操作ボタン１２ｃは、音発生の開始を指示するためのボタンである。操作ボタン１２ｅは、ノズル洗浄の開始を指示するためのボタンである。操作ボタン１２ｄは、衛生洗浄機能や音発生機能の停止を指示するためのボタンである。
【００３４】
操作ボタン１２は、例えば、押し操作（押圧操作）が可能な、いわゆる押しボタンである。操作ボタン１２は、定常位置と最下点位置とに移動可能であり、押し操作に応じて定常位置から最下点位置に移動する。また、操作ボタン１２は、図示しないバネなどにより、操作されていない状態において定常位置に保持される。操作ボタン１２は、押し操作によって最下点位置に移動した後、押し操作の解除によって定常位置に戻る。
【００３５】
変更部１３は、操作部１３１と、表示部１３２と、を有する。操作部１３１は、リモコン本体１４に対して摺動（スライド）可能に設けられている。例えば、操作部１３１は、リモコン本体１４に設けられた溝１４１に沿って、左右にスライドすることができる。
【００３６】
表示部１３２は、例えば、操作部１３１の可動範囲に沿って設けられた目盛である。表示部１３２は、リモコン本体１４上に、溝１４１に沿って設けられる。この例では、表示部１３２は、左から順に１〜５の数値を示す目盛である。なお、数字以外の記号等が印字されていてもよい。
【００３７】
使用者は、操作部１３１の位置を変更すること（スライド操作）によって、衛生洗浄装置１２０の設定状態を変更することができる。衛生洗浄装置１２０の設定状態は、操作部１３１の位置によって使用者に表示される。
【００３８】
例えば、操作部１３１の位置を変更することによって、衛生洗浄時に噴射される洗浄水の勢い（衛生洗浄機能の設定状態）を変更することができる。操作部１３１の位置を目盛の数値のいずれかの位置に移動させることで、衛生洗浄時に噴射される洗浄水の勢いを設定する指示が、衛生洗浄装置１２０に入力される。
【００３９】
例えば、より大きい数値に対応した位置に操作部１３１を移動させることで、衛生洗浄時に噴射される洗浄水の勢いが、より強い状態に設定される。逆に、目盛のより小さい数値に対応した位置に操作部１３１を移動させることで、衛生洗浄時に噴射される洗浄水の勢いが、より弱い状態に設定される。
【００４０】
このように、衛生洗浄装置１２０の設定状態は、変更部１３０の位置によって表示される。このため、変更部１３０は、電力を消費せずに衛生洗浄装置１２０の設定状態を使用者に表示可能である。
【００４１】
なお、変更部１３によって変更される衛生洗浄装置１２０の設定状態は、衛生洗浄時に噴射される洗浄水の勢いでなくてもよい。例えば、洗浄位置（ノズル１２８）の位置が変更されてもよい。この場合には、操作部１３１の位置を変更することで、ノズル１２８を前進させる指示またはノズル１２８を後退させる指示が、衛生洗浄装置１２０に入力される。その他、変更部１３によって変更される衛生洗浄装置１２０の設定は、音発生機能によって発せられる音の音量や、便座暖房機能の着座面の温度であってもよい。
【００４２】
図２に表した例では、衛生洗浄時に噴射される洗浄水の勢いは、目盛の数値に対応して５種類の設定状態（設定１〜設定５）を有する。すなわち、操作部１３１の位置は、５段階すなわち５つの設定位置（第１〜第５位置Ｐ１〜Ｐ５）のいずれかに設定される。この第１〜第５位置Ｐ１〜Ｐ５は、それぞれ、設定１〜設定５に対応する。
【００４３】
但し、変更部１３０によって変更される衛生洗浄装置１２０の設定状態の数は、５（５段階）には限られない。実施形態においては、変更部１３０によって変更される衛生洗浄装置１２０の設定状態の数は、例えば３以上である。変更部１３０の操作によって、衛生洗浄装置１２０の設定状態を、少なくとも３以上の設定状態のいずれか１つとすることができる。
【００４４】
図３は、第１の実施形態に係るリモコン装置を例示するブロック図である。  
図３に表したように、変更部１３は、複数の検出部２１と、伝達部３０と、をさらに有する。伝達部３０は、複数の第１部材３１と、第２部材３２と、を有する。  
また、リモコン装置１０は、複数の検出部２０と、第３部材３３と、発電部２２と、電源部２４と、制御部２６と、をさらに有する。
【００４５】
複数の検出部２０は、複数の操作ボタン１２のそれぞれに対応して設けられる。複数の検出部２０のそれぞれは、複数の操作ボタン１２のそれぞれの押し操作を検出する。各検出部２０には、例えば、ホール素子が用いられる。各検出部２０は、例えば、機械式のスイッチなどでもよい。
【００４６】
複数の検出部２１は、衛生洗浄装置１２０の設定状態（設定１〜設定５）のそれぞれに対応して設けられる。すなわち、複数の検出部２１は、操作部１３１の設定位置（第１位置Ｐ１〜Ｐ５）のそれぞれに対応して設けられる。これにより、複数の検出部２１を用いて、操作部１３１のスライド操作および操作部１３１がスライドした設定位置（移動した先の設定位置）を検出することができる。各検出部２１には、例えば、ホール素子が用いられる。各検出部２１は、例えば、機械式のスイッチなどでもよい。
【００４７】
発電部２２は、複数の操作ボタン１２のいずれかの押し下げ操作、および、操作部１３１の操作に応じて発電を行う。発電部２２には、例えば、モータが設けられている。発電部２２は、操作ボタン１２の押し下げ操作または操作部１３１のスライド操作にともなう操作力をモータの回転軸に伝達し、回転軸を回転させる。これにより、発電部２２は、モータから交流の電力を発生させる。発電部２２の発電方式は、モータに限ることなく、必要な電力を供給できる任意の方式でよい。また、発電部２２から出力される電力は、直流でもよいし、脈流でもよい。
【００４８】
第１部材３１、第２部材３２および第３部材３３は、操作力を発電部２２へ伝達する伝達機構３８を構成する。伝達部３０（複数の第１部材３１および第２部材３２）は、操作部１３１のスライド操作にともなう操作力を発電部２２に伝達する。
【００４９】
複数の第１部材３１は、操作部１３１の５つの位置（第１〜第５位置Ｐ１〜Ｐ５）のそれぞれに対応して設けられる。各第１部材３１は、操作部１３１のスライド操作にともなう操作力を受け、その操作力を第２部材３２に伝達する。第２部材３２は、各第１部材３１からの操作力を受け、その操作力を発電部２２に伝達する。これにより、操作部１３１を第１〜第５位置Ｐ１〜Ｐ５のいずれの位置にスライド操作しても、そのスライド操作に応じて第２部材３２が発電部２２を押圧し、発電が行われる。
【００５０】
第２部材３２および第３部材３３は、各操作ボタン１２の押し操作にともなう操作力を発電部２２に伝達する。第３部材３３は、各操作ボタン１２の操作力を受け、その操作力を第２部材３２に伝達する。第２部材３２は、第３部材３３からの操作力を受けるとともに、その操作力を発電部２２に伝達する。これにより、各操作ボタン１２のいずれを押し操作しても、そのスライド操作に応じて第２部材３２が発電部２２を押圧し、発電が行われる。
【００５１】
制御部２６は、リモコン本体１４に収納され、複数の検出部２０のそれぞれと電気的に接続されている。制御部２６は、複数の検出部２０のそれぞれの検出結果に基づいて、押し下げ操作された操作ボタン１２を判別する。そして、制御部２６は、判別した操作ボタン１２に対応した無線信号を衛生洗浄装置１２０に送信することにより、衛生洗浄装置１２０を遠隔操作する。
【００５２】
さらに、制御部２６は、複数の検出部２１のそれぞれと電気的に接続されている。制御部２６は、複数の検出部２１の検出結果に基づいて、操作部１３１がスライドした設定位置（第１〜第５位置Ｐ１〜Ｐ５）を判別する。そして、制御部２６は、判別した設定位置に応じて、設定状態を変更する信号を衛生洗浄装置１２０に送信する。これにより、衛生洗浄装置１２０の設定が変更される。
【００５３】
制御部２６は、例えば、マイコン４０と、高周波発生回路４３と、送信部４４と、を含む。マイコン４０は、押し操作された操作ボタン１２の判別、及び、判別した操作ボタン１２に基づいて衛生洗浄装置１２０を遠隔操作する信号を生成する。また、マイコン４０は、操作部１３１がスライドした設定位置の判別、及び、判別した設定位置に基づいて衛生洗浄装置１２０の設定を変更する信号を生成する。高周波発生回路４３は、マイコン４０の生成した信号を高周波信号に変換する。高周波信号の周波数は、例えば、２．４ＧＨｚである。送信部４４は、アンテナを含み、高周波発生回路４３の生成した高周波信号を無線信号に変換して衛生洗浄装置１２０に送信する。
【００５４】
なお、マイコン４０、高周波発生回路４３及び送信部４４を、１つのチップ内に納めてもよいし、異なる素子として分けてもよい。リモコン装置１０と衛生洗浄装置１２０との間の通信は、上記に限ることなく、任意でよい。制御部２６の構成は、上記に限ることなく、操作ボタン１２の判別や衛生洗浄装置１２０との無線通信などが可能な任意の構成でよい。
【００５５】
電源部２４は、発電部２２によって発電された電力を蓄積する蓄電素子５０を含む。電源部２４は、蓄電素子５０の電圧が所定値以上になった際に、蓄電素子５０に蓄積された電力を制御部２６に供給して制御部２６を起動させる。蓄電素子５０には、例えば、コンデンサや蓄電池などが用いられる。
【００５６】
ここで、「蓄電素子５０の電圧が所定値以上になった際」とは、例えば、制御部２６の起動及び無線信号の送信に必要な電力が蓄電素子５０に蓄積された際である。制御部２６が無線信号を複数回送信する場合には、制御部２６の起動及び無線信号の複数回の送信に必要な電力が蓄電素子５０に蓄積された際である。このように、蓄電素子５０の電圧の前記所定値は、制御部２６での消費電力に応じて設定される。所定値は、例えば、３．５Ｖである。「蓄電素子５０の電圧が所定値以上になった際」とは、換言すれば、発電部２２の発電の積算量が所定値以上になった際である。
【００５７】
また、蓄電素子５０の容量は、例えば、制御部２６の起動及び無線信号の送信に必要な電力を蓄積できる最低限の容量に設定される。これにより、例えば、蓄電素子５０の大型化を抑制できる。また、蓄電素子５０に残った余剰の電力によって、制御部２６が誤動作を起こすことなどを抑制できる。
【００５８】
図４は、第１の実施形態に係るリモコン装置の内部構造を例示する模式図である。  
図４に表したように、発電部２２は、リモコン本体１４に収納され、本体モジュール２２ａと、可動部２２ｂと、を含む。可動部２２ｂは、本体モジュール２２ａから突出した突出位置と、本体モジュール２２ａ内に押し込まれた押し込み位置と、に移動する。可動部２２ｂは、図示を省略したバネなどにより、操作されていない状態において突出位置に保持される。可動部２２ｂを突出位置から押し込み位置に移動させる。発電部２２は、この可動部２２ｂの移動にともなう操作力により、発電を行う。
【００５９】
複数の第１部材３１のそれぞれは、操作部１３１の設定位置のそれぞれに対応して設けられた部材である。第２部材３２は、例えば棒状の部材であり、長手方向において発電部２２の可動部２２ｂと対向する位置に配置されている。第３部材３３は、例えば棒状の部材であり、複数の操作ボタン１２（操作ボタン１２ａ〜１２ｄ）と対向するように設けられている。
【００６０】
第２部材３２及び第３部材３３は、図中矢印で表すように、長手方向にスライド可能に取り付けられている。すなわち、第２部材３２及び第３部材３３は、いわゆるスライドバーである。また、第２部材３２及び第３部材３３は、連結部材３４によって互いに接続されている。これにより、第１部材３１及び第２部材３２は、互いに連動してスライド移動する。
【００６１】
操作部１３１をスライド操作すると、その操作力が、操作部１３１のスライドした位置に応じて複数の第１部材３１のいずれかに伝わり、第２部材３２がスライド移動する。スライド移動した第２部材３２は、可動部２２ｂに当接し、可動部２２ｂを突出位置から押し込み位置に移動させる。これにより、操作部１３１の操作に応じて、発電部２２が発電を行う。
【００６２】
操作ボタン１２ａ〜１２ｄのいずれかを押し操作すると、その操作力が第３部材３３に伝わり、第３部材３３がスライド移動する。第３部材３３がスライド移動すると、連結部材３４を介して第２部材３２がスライド移動し、可動部２２ｂに当接して可動部２２ｂを突出位置から押し込み位置に移動させる。これにより、各操作ボタン１２の押し操作によって、発電部２２が発電を行う。
【００６３】
リモコン装置１０は、クリック機構２８をさらに備える。クリック機構２８によって、操作ボタン１２の押し操作、および、操作部１３１のスライド操作は、使用者にクリック感を生じさせる。クリック感によって、衛生洗浄装置１２０の設定状態が変更されたことを確実に使用者に知らせることができる。
【００６４】
この例において、クリック機構２８は、発電部２２に設けられている。発電部２２では、例えば、バネなどの弾性力に抗して可動部２２ｂを押し込むと、可動部２２ｂに係合した連動部材が移動する。そして、可動部２２ｂが押し込み位置まで移動すると、クリック機構２８により、連動部材と可動部２２ｂとの係合状態が一時的に解除され、連動部材が弾性力によって初期位置に戻る。この時に、操作ボタン１２の操作力が弱まり、使用者にクリック感として伝わる。
【００６５】
また、連動部材は、ギヤなどを介してモータの回転軸に連結されており、連動部材が初期位置に戻る際の勢いで回転軸が回転し、発電が行われる。発電部２２では、可動部２２ｂを押し込み位置に移動させることによって発電が行われる。そして、発電部２２が発電する時に、押し下げ操作された操作ボタン１２又はスライド操作された操作部１３１にクリック感が付与される。この構成では、例えば、使用者の押し下げ操作の速度などに依存せず、連動部材に加える弾性力によって発電量を制御することができる。これにより、例えば、操作毎の発電量のバラツキを抑制することができる。発電部２２において、安定した発電量を得ることができる。
【００６６】
この例において、クリック機構２８は、発電部２２の発電機構の一部を兼ねている。クリック機構２８は、必ずしも発電部２２に設ける必要はなく、発電部２２と別に設けてもよい。
【００６７】
図５（ａ）〜図５（ｄ）は、第１の実施形態に係るリモコン装置の一部を例示する模式図である。図５（ａ）〜図５（ｄ）は、操作ボタン１２の押し操作の一例を模式的に表す。  
図５（ａ）は、操作ボタン１２が定常位置にある状態を表している。図５（ｂ）は、検出部２０が押し操作を検出する操作ボタン１２の位置を表している。図５（ｃ）は、操作ボタン１２が最下点位置にある状態を表している。図５（ｄ）は、検出部２０が押し操作の検出状態を解除する操作ボタン１２の位置を表している。
【００６８】
図５（ａ）〜図５（ｄ）に表したように、検出部２０は、例えば、ホール素子２０ａと、磁石２０ｂと、を含む。ホール素子２０ａは、例えば、リモコン本体１４内の所定の位置に保持されている。磁石２０ｂは、操作ボタン１２に取り付けられている。検出部２０は、操作ボタン１２の押し操作に応じてホール素子２０ａと磁石２０ｂとの間の距離が近づくことにより、操作ボタン１２の押し操作を検出する。このように、検出部２０は、例えば、非接触で操作ボタン１２の押し操作を検出する。ホール素子２０ａの位置及び磁石２０ｂの位置は、上記と反対でもよい。すなわち、ホール素子２０ａを操作ボタン１２に設け、磁石２０ｂをリモコン本体１４内に設けてもよい。押し操作の検出方法は、これに限ることなく、任意の方法でよい。
【００６９】
第３部材３３には、傾斜面状のスライドカム３３ａが設けられている。操作ボタン１２には、スライドカム３３ａと対向する位置に、スライドカム３３ａに対応した傾斜面１２ｐが設けられている。これにより、操作ボタン１２を押し操作すると、スライドカム３３ａの傾斜に従って垂直方向の力が水平方向の力に変換され、第３部材３３がスライド移動する。なお、図示は省略するが、第２部材３２も第３部材３３と同様に、スライドカムによってスライド移動する。
【００７０】
図５（ｂ）に表したように、操作ボタン１２を押し操作してホール素子２０ａと磁石２０ｂとの間の距離を近づける。これにより、検出部２０によって操作ボタン１２の押し操作が検出される。
【００７１】
図５（ｃ）に表したように、操作ボタン１２をさらに押し、最下点位置に移動させる。これにより、発電部２２の可動部２２ｂが押し込み位置に移動し、発電部２２によって発電が行われる。
【００７２】
このように、複数の検出部２０は、発電部２２の発電よりも前に、対応する各操作ボタン１２の押し操作を検出する。すなわち、複数の検出部２０は、制御部２６の起動よりも前に押し操作を検出する。
【００７３】
また、発電部２２は、検出部２０の検出位置（図５（ｂ）に表した位置）よりも最下点位置側の発電位置に操作ボタン１２が移動した際に、蓄電素子５０の電圧を所定値以上にする。これにより、発電部２２は、押し操作のみで制御部２６からの無線信号の送信を可能にする。
【００７４】
この例では、最下点位置が、発電位置である。発電位置は、これに限ることなく、検出位置と最下点位置との間の任意の位置でもよい。すなわち、発電位置は、検出位置と最下点位置との間の位置、または、最下点位置である。また、この例では、可動部２２ｂが押し込み位置に移動した時に、発電部２２で発電が行われる。発電が行われる可動部２２ｂの位置は、押し込み位置に限ることなく、突出位置と押し込み位置との間の任意の位置でもよい。
【００７５】
操作ボタン１２の押し操作を解除すると、弾性力によって発電部２２の可動部２２ｂが突出位置に戻る。可動部２２ｂが突出位置に戻ると、伝達機構を介して弾性力が操作ボタン１２に伝わり、操作ボタン１２が定常位置に戻る。なお、操作ボタン１２は、発電部２２内に設けられた弾性体（バネやゴムなど）からの弾性力のみで定常位置に戻してもよいし、伝達機構や操作ボタン１２に別の弾性体をさらに設けて定常位置に戻してもよい。
【００７６】
図５（ｄ）に表したように、複数の検出部２０は、押し操作の解除にともなって操作ボタン１２が発電位置から定常位置に戻るまでの間に、押し操作の検出状態を解除する。この時、検出部２０は、ホール素子２０ａのヒステリシス性により、磁石２０ｂとの距離が検出時よりも離れた状態で検出を解除する。これにより、複数の検出部２０のそれぞれにおいて、検出状態が解除される操作ボタン１２の位置は、検出位置よりも定常位置に近くなる。
【００７７】
図６（ａ）〜図６（ｅ）は、第１の実施形態に係るリモコン装置の一部を例示する模式図である。図６（ａ）〜図６（ｅ）は、操作部１３１のスライド操作の一例を模式的に表す。  
図６（ａ）〜図６（ｅ）に表したように、検出部２１は、例えば、ホール素子２１ａを含む。ホール素子２１ａは、例えば、リモコン本体１４内に保持されている。複数のホール素子２１ａは、それぞれ、操作部１３１の設定位置（第１〜第５位置Ｐ１〜Ｐ５）に対応して、略直線状に配置されている。
【００７８】
操作部１３１には、磁石２１ｂが設けられている。操作部１３１のスライド操作に応じて、磁石２１ｂは、複数のホール素子２１ａのいずれかに近づく。これにより、操作部１３１がスライドした設定位置を検出する。なお、操作部１３１にホール素子を設け、操作部１３１の設定位置のそれぞれに磁石を設けてもよい。スライド操作の検出方法は、これに限ることなく、任意の方法でよい。
【００７９】
操作部１３１は、例えば、傾斜面１３１ａと傾斜面１３１ｂとを有する。傾斜面１３１ａと傾斜面１３１ａとは、互いに異なる方向に傾斜している。
【００８０】
各第１部材３１は、操作部１３１がスライドする方向において、互いに隣接するホール素子２１ａ同士の中間に設けられる。第１部材３１は、傾斜面１３１ａに対応したスライドカム３１ａと、傾斜面１３１ｂに対応したスライドカム３１ｂと、を有する。スライドカム３１ａとスライドカム３１ｂとは、例えば、互いに異なる方向に傾斜した面を有している。さらに、第１部材３１は、傾斜面３１ｃを有する。
【００８１】
第２部材３２は、第１部材３１の傾斜面３１ｃに対応する複数のスライドカム３２ａを有する。各スライドカム３２ａは、例えば傾斜面状である。
【００８２】
図６（ａ）は、操作部１３１が第１位置Ｐ１にある状態を表している。すなわち、図６（ａ）の状態は、衛生洗浄装置１２０の設定が、設定１の状態である。このとき、磁石２１ｂは、第１位置Ｐ１に対応して設けられたホール素子２１ａの検出範囲内に位置する。なお、ホール素子２１ａの検出範囲とは、磁石２１ｂが検出範囲内に位置するときに、ホール素子２１ａの磁気検出値が所定の閾値を超える範囲をいう。所定の閾値は、ホール素子の磁電変換特性等によって定まる。
【００８３】
図６（ｂ）は、操作部１３１のスライド操作を開始した状態を表している。この例では、操作部１３１を第１位置Ｐ１から第２位置Ｐ２に移動させるスライド操作を示す。すなわち、衛生洗浄装置１２０の設定を、設定１から設定２へ変更する。
【００８４】
図６（ｂ）に表したように、操作部１３１をスライドさせると、操作部１３１の傾斜面１３１ａがスライドカム３１ａに接する。これにより、スライドカム３１ａの傾斜に従って、操作部１３１をスライドさせる操作力の方向が変換され、第１部材３１が移動する。第１部材３１が移動すると、第１部材３１の傾斜面３１ｃは、第２部材３２のスライドカム３２ａに接する。これにより、スライドカム３２ａの傾斜に従って、第２部材３２に操作力が伝達され、第２部材３２がスライド移動する。
【００８５】
図６（ｃ）に表したように、操作部１３１をさらにスライドさせると、第２部材３２がさらにスライド移動する。これにより、第２部材３２は、発電部２２の可動部２２ｂを押し込み、発電が行われる。
【００８６】
図６（ｄ）は、操作部１３１をさらスライドさせて、操作部１３１が第２位置Ｐ２に近づいた状態を表す。この状態では、第２位置Ｐ２に対応するホール素子２１ａと磁石２１ｂとの距離は、第１位置Ｐ１に対応する素子２１ａと磁石２１ｂとの距離よりも短い。このとき、操作部１３１の傾斜面１３１ｂがスライドカム３１ｂと接する。ここで、前述のように、傾斜面１３１ｂの傾斜方向は、傾斜面１３１ａの傾斜方向と異なり、スライドカム３１ｂの傾斜方向は、スライドカム３１ａの傾斜方向と異なる。このため、弾性力によって、第１部材３１および第２部材３２は、例えば、図６（ｂ）における移動方向とは逆の方向に移動する。なお、このときの弾性力は、発電部２２内に設けられた弾性体からの弾性力であってもよいし、伝達機構３８に別途設けられた弾性体の弾性力であってもよい。
【００８７】
図６（ｄ）に表した状態において、蓄電素子５０の電圧が所定値以上になり、制御部２６（マイコン４０）が起動する。例えば、この後の一定の期間、制御部２６は起動した状態となり、検出部からの信号を待っている状態となる。
【００８８】
図６（ｅ）は、操作部１３１の第２位置Ｐ２へのスライド操作が終了した状態を表す。このとき、発電部２２の可動部２２ｂは、弾性力によって突出位置に戻っている。そして、第１部材３１および第２部材３２は、それぞれ元の位置（図６（ａ）の状態と同じ位置）に戻っている。このとき、磁石２１ｂは、第２位置Ｐ２に対応するホール素子２１ａの検出範囲内に位置する。これにより、第２位置Ｐ２に対応するホール素子２１ａからの検出結果に基づいて、制御部２６は、衛生洗浄装置１２０の設定状態を設定２とする信号を送る。
【００８９】
図７（ａ）〜図７（ｃ）は、第１の実施形態に係るリモコン装置の動作を例示する模式図である。  
図７（ｂ）および図７（ｃ）は、リモコン装置１０の一部の模式的正面図であり、図７（ａ）は、図７（ｂ）のＡ１−Ａ２線における模式的断面図である。
【００９０】
図７（ａ）および図７（ｂ）に表したように、操作部１３１が設定位置（第１〜第５位置Ｐ１〜Ｐ５）のそれぞれに位置するとき、磁石２１ｂは、ホール素子２１ａの検出範囲２１ｒ内に位置する。例えば、リモコン装置１０の正面から見たときに、磁石２１ｂは、ホール素子２１ａと重なる。
【００９１】
図７（ｃ）に表したように、リモコン装置１０では、ホール素子２１ａの検出範囲２１ｒの外に磁石２１ｂが位置するときに、発電部２２の発電が開始する。検出範囲２１ｒ内に磁石２１ｂが位置するときに発電部２２の発電が開始されると、操作部１３１がスライド操作を行う際の初期位置に位置すると判定され、意図しない信号が送信されるおそれがある。これに対して、実施形態に係るリモコン装置１０では、磁石２１ｂが検出範囲２１ｒ内に位置するときには、発電部２２の発電が開始されないように、ホール素子２１ａや伝達機構３８が設けられる。これにより、衛生洗浄装置１２０の設定状態を変更する信号を正確に送信することができる。
【００９２】
図６および図７では、第１位置Ｐ１から第２位置Ｐ２へのスライド操作について説明した。但し、操作部１３１を他の設定位置から右側へスライドさせる際の動作も図６および図７に関して説明した動作と同様である。また、操作部１３１を左側へスライド(例えば第２位置Ｐ２から第１位置Ｐ１へ)させる場合には、伝達機構の動作は、図６（ａ）〜図６（ｅ）に示した動作の逆の動作となる。これにより、右側へのスライド操作と同様にして、発電部２２の発電、操作部１３１の設定位置の検出、および、制御信号の送信等が行われる。
【００９３】
操作部１３１の設定位置の検出方法は、上記に限ることなく、任意の方法でよい。例えば、ホール素子を用いずに操作部１３１の設定位置を検出してもよい。  
図８は、第１の実施形態に係る他の設定位置の検出方法を例示する模式図である。  
この例では、変更部１３の検出部２１は、各設定状態に対応して設けられた回路である。すなわち、操作部１３１の各設定位置（第１〜第５位置Ｐ１〜Ｐ５）のそれぞれに対応して、配線（配線Ｗ１〜Ｗ５）が設けられている。
【００９４】
例えば、操作部１３１は、導電性の材料からなる導電部を含む。そして、操作部１３１の位置に対応した配線と、配線Ｗ０と、の間に導電部を介して電流が流れる。  
図８に表した例では、操作部１３１は、設定２に対応する第２位置Ｐ２に位置する。このとき、設定２に対応する配線Ｗ２は、操作部１３１を介して配線Ｗ０と導通した状態となる。このような電気的な接点スイッチによって、操作部１３１の設定位置を検出してもよい。なお、スライド操作による操作力の伝達機構や発電部２２における発電等は、図６に関する説明と同様とすることができる。
【００９５】
以上説明したように、実施形態に係るリモコン装置１０は、操作ボタン１２の押し操作や操作部１３１のスライド操作によって発電を行う自己発電タイプのリモコン装置である。これにより、トイレ装置１００との配線が不要となり、設置を容易にすることができる。また、電池等を用いる必要がないため、管理者のメンテナンスの手間を低減することができる。
【００９６】
一方、従来の衛生洗浄装置のリモコンにおいては、衛生洗浄装置の設定状態の通知手段として、ＬＥＤや液晶が搭載されている。しかしながら、自己発電タイプのリモコン装置では、操作ボタン等の操作によって発電される電力は限られたものである。発電された電力は、制御部における信号の生成や送信に用いられるため、ＬＥＤや液晶等を駆動する電力を賄うことが困難な場合がある。
【００９７】
これに対して、実施形態に係るリモコン装置１０においては、電力を消費せずに、変更部１３によって衛生洗浄装置１２０の設定状態を表示することができる。また、変更部１３の操作によって発電が行われ、この電力によって、衛生洗浄装置１２０の設定状態を変更するための信号が送信される。これにより、省電力動作を実現しつつ、衛生洗浄装置１２０の設定状態の表示を行うことができる。
【００９８】
また、本実施形態においては、設定状態を表示する操作部１３１自体をスライド操作することで、衛生洗浄装置１２０の設定状態を変更することができる。このため、使用者は、直感的に設定状態の確認および変更を行うことができる。また、操作部１３１は、設定状態の表示と変更との双方に用いられているため、設定状態の変更用の部材と、設定状態の表示用の部材と、を別々に設ける必要がない。これにより、例えば部材数の増加を抑制できる。したがって、簡易な構成によって、省電力動作および設定状態の表示を実現することができる。
【００９９】
また、衛生洗浄装置の機能は、３以上の設定状態を有することが多いため、使用者に設定状態を確実に通知することが望ましい。実施形態に係るリモコン装置によれば、使用者は、電力を消費せずに、３以上の設定状態の確認を容易に行うことができる。
【０１００】
（第２の実施形態）  
図９は、第２の実施形態に係るリモコン装置を例示する模式的正面図である。  
本実施形態に係るリモコン装置１０ａは、衛生洗浄装置の設定状態を変更するための変更部において、第１の実施形態と異なる。本実施形態に係るリモコン装置１０ａにおいても、複数の操作ボタン１２、複数の検出部２０、発電部２２、電源部２４および制御部２６等が設けられる。これらについては、第１の実施形態に係るリモコン装置と同様である。例えば、操作ボタン１２の押し操作の検出、発電部２２の発電、制御部２６における信号処理等は、第１の実施形態と同様である。
本実施形態に係るリモコン装置１０ａは、衛生洗浄装置１２０の設定状態を変更するための変更部１３ａを備える。変更部１３ａは、第１部材５１を有する。第１部材５１は、例えば、操作ボタン１２と同様に、押しボタンである。第１部材５１には、開口部１３４（表示窓）が設けられている。
【０１０１】
図１０（ａ）および図１０（ｂ）は、第２の実施形態に係るリモコン装置の内部構造を例示する模式図である。  
図１０（ａ）は、リモコン装置１０ａの内部構造を例示する。図１０（ａ）に示すように、変更部１３ａは、第２部材３２（伝達部）と、回転部１３３と、回転制御部１３５と、をさらに有する。  
図１０（ｂ）は、第１部材５１の模式的側面図である。第１部材５１は、回転部１３３と係合する凸部７１と、第２部材３２と係合する凸部７２と、を有する。
【０１０２】
回転部１３３および回転制御部１３５は、リモコン装置１０ａの内部（第１部材５１の背面側）に配置されている。回転部１３３には、衛生洗浄装置１２０の設定状態に応じて、複数の数値（１〜５）が記されている。この数値のいずれかが、開口部１３４を介して、使用者に表示される。これにより、使用者は、衛生洗浄装置１２０の設定状態を確認することができる。
【０１０３】
また、第１部材５１を押し操作することによって、回転部１３３を回転させることができる。これにより、設定状態の表示が変更される。また、第１部材５１の押し操作にともなう操作力によって、発電部２２が発電を行う。そして、検出部２１（ホール素子）によって、表示された設定状態が検出される。制御部２６は、回転部１３３の回転に応じて、衛生洗浄装置１２０の設定状態を変更する信号を送る。
【０１０４】
なお、図１０（ａ）の例のように、各操作ボタンと第２部材３２との間、および、各操作ボタンと第３部材３３との間に、回転カム３６を設けてもよい。回転カム３６は、操作ボタンが押し操作された操作力を、第２部材３２または第３部材３３に伝達する。これにより、操作ボタンを押した際の操作力の方向を、効率よく変換することができる。但し、実施形態に係る伝達機構は、これに限られず、任意の構成でよい。回転カム３６は、必ずしも設けられなくともよい。
【０１０５】
図１１（ａ）〜図１１（ｅ）は、第２の実施形態に係る回転部を例示する模式図である。  
図１１（ａ）は、回転部１３３を例示する模式的正面図であり、図１１（ｂ）は、回転部１３３を例示する模式的斜視図である。回転部１３３は、表示部８１と傾斜部８２と基材８３と歯車部８４とを有する。  
図１１（ｃ）は、表示部８１を例示する模式的正面図である。図１１（ｄ）は、基材８３を例示する模式的正面図である。図１１（ｅ）は、歯車部８４を例示する模式的正面図である。
【０１０６】
表示部８１は、例えば円板状の形状を有する。表示部８１の略円形の面には、円周にそって、数値が記されている。各数値（１〜５）は、衛生洗浄装置１２０の各設定状態（設定１〜設定５）に対応する。
【０１０７】
基材８３は、例えば円板状の形状を有する。図１１（ｂ）に示すように、基材８３の略円形の面８３ｐ上に表示部８１が配置される。
【０１０８】
また、複数の傾斜部８２は、基材８３の面８３ｐ上に、円周に沿って設けられる。傾斜部８２は、面８３ｐに対して傾斜した面を有する。
【０１０９】
歯車部８４は、基材８３から見て、表示部８１とは反対側に配置される。歯車部８４は、表示部８１に記された数値（１〜５）の位置に対応した歯８４ｔを有する。この例では、設定状態（設定１〜設定５）に対応して、歯車部８４は、５つの歯８４ｔを有する。
【０１１０】
表示部８１、傾斜部８２、基材８３および歯車部８４は、回転軸１３３ａを中心として一体となって回転する。回転軸１３３ａは、例えば基材８３の面８３ｐに対して略垂直に延在する軸である。
【０１１１】
回転部１３３が回転した角度に応じて、開口部１３４から使用者に表示される数値が変化する。すなわち、衛生洗浄装置１２０の設定状態の表示は、回転部１３３の回転に応じて変更される。
【０１１２】
衛生洗浄装置１２０の設定状態を検出する検出部２１は、図１１（ｄ）に示したように、複数のホール素子２１ｄを有する。そして、基材８３に磁石２１ｃが設けられる。磁石２１ｃは、基材８３の回転と共に回転する。
【０１１３】
ホール素子２１ｄは、リモコン本体１４内の所定の位置に保持されている。ホール素子２１ｄは、例えば、平面視において基材８３の円周に沿って配置される。ホール素子２１ｄの配置は、表示部８１に記された数値に対応している。すなわち、複数のホール素子２１ｄは、それぞれ、衛生洗浄装置１２０の各設定状態（設定１〜設定５）に対応する。この例では、設定１〜設定５に対応して、５つのホール素子２１ｄが設けられている。
【０１１４】
回転部１３３が回転すると、磁石２１ｃは、複数のホール素子２１ｄのいずれかに近づく。これにより、回転部１３３の回転に応じて表示されている設定を検出することができる。
【０１１５】
図１１（ｅ）に表したように、回転制御部１３５は、リモコン本体１４内に保持されており、歯車部８４と係合する。回転制御部１３５は、可動部３５を有する。歯車部８４が回転すると、可動部３５は、歯８４ｔによって定常位置から持ち上げられる。このとき、例えばバネなどの弾性力によって、可動部３５には、図中矢印の方向に、定常位置に戻ろうとする力が働く。これにより、可動部３５は、回転部１３３の回転を補助し、且つ回転を制御するストッパとして機能する。
【０１１６】
次に、図１２〜図１４を参照して、本実施形態に係る変更部１３ａの動作について説明する。ここでは、一例として、衛生洗浄装置１２０の設定状態を設定１から設定２へ変更する場合の動作について説明する。  
図１２（ａ）〜図１２（ｆ）、図１３（ａ）〜図１３（ｆ）、および、図１４（ａ）〜図１４（ｃ）は、第２の実施形態に係る変更部の一部を例示する模式図である。  
図１２（ａ）〜図１２（ｃ）は、第１部材５１の押し操作が行われていない状態を表す。この状態は、衛生洗浄装置１２０の設定が、設定１の状態である。このとき、磁石２１ｃは、設定１に対応して設けられたホール素子２１ｄの検出範囲内に位置する。例えば、この状態で使用者が操作ボタン１２を押すと、制御部２６から衛生洗浄装置１２０へ設定１に対応する信号が送られる。
【０１１７】
図１２（ｄ）〜図１２（ｆ）は、第１部材５１の押し操作を開始した状態を表す。  
図１２（ｆ）に表したように、第１部材５１の押し操作を行うと、凸部７１は、回転部１３３の傾斜部８２と接する。これにより、傾斜部８２の傾斜面に従って、第１部材５１を押す操作力の方向が変換され、回転部１３３が回転する。これにより、図１２（ｄ）に表したように、歯車部８４が回転し、歯８４ｔによって可動部３５が持ち上げられる。また、図１２（ｅ）に表したように、表示部８１が回転する。
【０１１８】
第１部材５１の押し操作を行うと、凸部７２は、第２部材３２のスライドカム３２ａに接する。これにより、スライドカム３２ａの傾斜面に従って、第２部材３２に操作力が伝達され、第２部材３２がスライド移動する。第２部材３２が移動することで、発電部２２の可動部２２ｂに操作力が伝達される。
【０１１９】
図１３（ａ）〜図１３（ｃ）は、さらに第１部材５１を押し込み、第１部材５１が最下点位置にある状態を表す。  
第１部材５１の押し操作にともなって、第２部材３２は、さらにスライド移動する。これにより、第２部材３２は、発電部２２の可動部２２ｂをさらに押し込み、発電が行われる。発電部２２から供給される電力によって、制御部２６（マイコン４０）が起動し、検出部からの信号を待っている状態となる。なお、この時点では、磁石２１ｃは設定２に対応するホール素子２１ｄの検出範囲外に位置するため、制御部２６から設定状態を変更する信号は送信されない。
【０１２０】
また、第１部材５１の押し操作にともなって、歯車部８４がさらに回転する。そして、第１部材５１が最下点位置に達した際には、図１３（ａ）のように可動部３５を押し上げる歯８４ｔが可動部３５を乗り越えた状態となる。前述のように、押し上げられた可動部３５には定常位置に戻ろうとする力が働くため、この力によって歯車部８４は、さらに回転する。
【０１２１】
図１３（ｄ）〜図１３（ｆ）は、それぞれ、回転部１３３がさらに回転した状態であり、図１３（ａ）〜図１３（ｃ）の後の状態である。この状態では、発電部２２における発電が完了し、第１部材５１の押し操作が解除されている。このとき、弾性力によって、発電部２２の可動部２２ｂは、突出位置に戻るように移動する。これにより、可動部２２ｂと連動して第１部材５１も定常位置に戻るように移動する。なお、この時点でも、磁石２１ｃは設定２に対応するホール素子２１ｄの検出範囲外に位置する。図１３（ａ）の状態と同様に、可動部３５が定常位置に戻ろうとする力によって、歯車部８４がさらに回転する。
【０１２２】
図１４（ａ）〜図１４（ｃ）は、第１部材５１の押し操作による、回転部１３３の回転が完了した状態を表す。  
図１３（ｄ）に表した状態から歯車部８４がさらに回転すると、図１４（ａ）に表したように歯８４ｔが可動部３５に当接する。これにより、回転部１３３の回転が停止する。このとき、図１４（ｂ）に表したように、歯車部８４の回転にともなって回転した表示部８１によって、使用者に設定２が表示される。また、可動部２２ｂは突出位置に戻っており、第１部材５１は定常位置に戻っている。そして、磁石２１ｃは、設定２に対応するホール素子２１ｄの検出範囲内に位置する。設定２に対応するホール素子２１ｄからの検出結果に基づいて、制御部２６は、衛生洗浄装置１２０の設定状態を設定２とする信号を送ることができる。
【０１２３】
以上説明したようにして、第１部材５１（押しボタン）の押し操作によって、回転部１３３を回転させて、衛生洗浄装置１２０の設定状態の表示が変更される。この際、押し操作の操作力によって、回転部１３３の回転と連動して、第２部材３２が発電部２２を押圧する。そして、表示に対応する設定状態が検出され、発電された電力によって、検出結果に基づく制御信号が衛生洗浄装置１２０に送信される。
【０１２４】
第２の実施形態においても、第１の実施形態と同様に電力を消費せずに衛生洗浄装置１２０の設定状態を表示することができる。このとき、変更部１３ａの操作によって発電が行われる。これにより、省電力動作を実現しつつ、衛生洗浄装置１２０の設定状態の表示が可能となる。
【０１２５】
さらに、第２の実施形態においては、回転部の回転を用いることによって、スイッチを左右にスライドさせて設定状態を変更する場合に比べて、変更部１３ａの幅を狭くすることができる。したがって、コンパクトな構成によって、設定状態の表示と省電力動作と、を実現することができる。また、変更部１３ａでは第１部材５１（操作ボタン）の押し操作という簡易な操作によって、回転部１３３の回転と発電部２２の発電とを行うことができるため、操作性が高い。さらに、可動部である回転部１３３は、リモコン本体に収納されており、リモコン装置の表面に露出しないため、意匠性や清掃性を向上させることができる。
【０１２６】
リモコン装置１０ａについて説明した変更部１３ａの構成は、上記に限ることなく、任意でよい。例えば、回転部１３３の各部材の形状や配置などは、適宜変更可能である。  
上述したリモコン装置１０ａは、回転部１３３の回転方向が１方向（＋方向）に固定された比較的簡易な構造を有する。但し、本実施形態に係るリモコン装置は、回転部が２方向（＋方向および−方向）に回転できる構造を有していてもよい。以下、回転部が２方向に回転できる例について、説明する。
【０１２７】
図１５（ａ）〜図１５（ｃ）は、第２の実施形態に係る他のリモコン装置を例示する模式図である。  
図１５（ａ）は、リモコン装置１０ｂの内部構造を例示する正面図である。リモコン装置１０ｂは、衛生洗浄装置１２０の設定状態を変更するための変更部の構成において、上述のリモコン装置１０ａと異なる。これ以外については、リモコン装置１０ｂの構成は、リモコン装置１０ａの構成と同様である。  
図１５（ａ）に表したように、リモコン装置１０ｂは、変更部１３ｂを備える。変更部１３ｂは、操作ボタン９１と、操作ボタン９２と、第２部材３２（伝達部）と、回転部１３７と、回転制御部１３９と、伝達部材４１と、伝達部材４２と、を有する。
【０１２８】
伝達部材４１、伝達部材４２、回転部１３７および回転制御部１３９は、リモコン装置１０ｂの内部に配置される。伝達部材４１は、回転部１３７と操作ボタン９１との間に設けられ、伝達部材４２は、回転部１３７と操作ボタン９２との間に設けられる。
【０１２９】
回転部１３７には、衛生洗浄装置１２０の設定状態に応じて、設定状態を表す数値が記されている。また、この例では、リモコン本体に開口部１３６（表示窓）が設けられている。この開口部１３６を介して、設定状態を表す数値が表示される。
【０１３０】
操作ボタン９１および操作ボタン９２は、操作ボタン１２と同様の押しボタンである。図１５（ｂ）、図１５（ｃ）は、それぞれ、操作ボタン９１、操作ボタン９２を例示する模式図である。図１５（ｂ）は、操作ボタン９１の正面図および断面図を示し、図１５（ｃ）は、操作ボタン９２の正面図および断面図を示す。  
操作ボタン９１は、凸部７３および凸部７４を有する。凸部７３は、伝達部材４１を介して回転部１３７と係合する。凸部７４は、第２部材３２と係合する。  
操作ボタン９２は、凸部７５および凸部７６を有する。凸部７５は、伝達部材４２を介して回転部１３７と係合する。凸部７６は、第２部材３２と係合する。
【０１３１】
操作ボタン９１または操作ボタン９２を押し操作することで、回転部１３７が回転する。例えば、操作ボタン９１を押し操作すると、回転部１３７は、−方向（時計回り）に回転する。操作ボタン９２を押し操作すると、回転部１３７は、＋方向（反時計回り）に回転する。これにより、設定状態が変更される。
【０１３２】
操作ボタン９１の押し操作による操作力、または、操作ボタン９２の押し操作による操作力によって、発電部２２が発電を行う。このとき、検出部２１（例えばホール素子）を用いて、表示された設定状態が検出される。制御部２６は、検出部２１の検出結果に基づいて、衛生洗浄装置１２０の設定状態を変更する信号を送る。
【０１３３】
図１６（ａ）〜図１６（ｃ）は、第２の実施形態に係る他の変更部を例示する模式図である。  
図１６（ａ）は、回転部１３７を例示する模式的斜視図である。回転部１３７は、円板８８と、円板８９と、歯車部８６（羽根車）と、を有する。  
円板８８の片面には、円周に沿って、数値が記されている。各数値は、衛生洗浄装置１２０の各設定状態に対応する。円板８９は、円板８８とほぼ同じ形状を有している。
【０１３４】
歯車部８６は、円板８９と円板８８との間に挟まれている。図１６（ｂ）には、回転部１３７を例示する模式的正面図を示す。歯車部８６は、円板８８に表示された数値の位置に対応した複数の歯８６ｔ（羽）を有する。円板８８、円板８９および歯車部８６は、歯車の回転軸１３７ａを中心として、一体となって回転することができる。回転軸１３７ａは、円板の主面に対して略垂直な軸である。
【０１３５】
伝達部材４１の一端は、歯車部８６と係合しており、伝達部材４１の他端は、操作ボタン９１と係合する。また、伝達部材４２の一端は、歯車部８６と係合しており、伝達部材４２の他端は、操作ボタン９２と係合する。伝達部材４１および伝達部材４２は、図中矢印の方向にスライド可能に設けられており、回転部１３７を回転させる「押し棒」として機能する。
【０１３６】
回転制御部１３９は、リモコン本体に保持されており、歯車部８６と係合する可動部３９を有する。可動部３９は、バネ等の弾性体を介してリモコン本体に保持されている。バネ等の弾性力によって、可動部３９には回転軸１３７ａへ向かう力が働く。
【０１３７】
衛生洗浄装置１２０の設定状態を検出する検出部２１には、ホール素子２１ｆが用いられる。また、円板８９には磁石２１ｅが設けられる。磁石２１ｅは、回転部１３７の回転と共に回転する。
【０１３８】
図１６（ｃ）は、ホール素子２１ｆの配置を例示する模式的正面図である。各ホール素子２１ｆは、例えば、リモコン本体内の基板上に設けられ、平面視において円板８９の円周に沿って配置される。各ホール素子２１ｄの配置は、円板８８に記された設定状態を表す数値の位置に対応している。
【０１３９】
回転部１３７が回転すると、磁石２１ｅは、複数のホール素子２１ｆのいずれかに近づく。これにより、回転部１３７の回転に応じて表示されている設定を検出することができる。
【０１４０】
次に、図１７および図１８を参照して、本実施形態に係る変更部１３ｂの動作について説明する。ここでは、一例として、衛生洗浄装置１２０の設定状態を設定１から設定２へ変更する場合の動作について説明する。  
図１７（ａ）〜図１７（ｆ）、図１８（ａ）〜図１８（ｆ）は、第２の実施形態に係る他の変更部の一部を例示する模式図である。
【０１４１】
図１７（ａ）および図１７（ｂ）は、操作ボタン９１および操作ボタン９２の押し操作が行われていない状態を表す。この状態は、衛生洗浄装置１２０の設定が設定１の状態である。このとき、磁石２１ｅは、設定１に対応して設けられたホール素子２１ｆの検出範囲内に位置する。
【０１４２】
図１７（ｃ）および図１７（ｄ）は、それぞれ、図１７（ａ）および図１７（ｂ）の後の状態を表す。この状態は、操作ボタン９２の押し操作を開始した状態である。  
図１７（ｄ）に表したように、操作ボタン９２の押し操作を行うと、凸部７５は、伝達部材４２の端部に形成された傾斜面と接する。これにより、伝達部材４２の傾斜面に従って、操作ボタン９２を押す操作力の方向が変換され、伝達部材４２がスライドし、回転部１３７が回転する。これにより、図１７（ｃ）に表したように、歯８６ｔによって可動部３９が持ち上げられ、回転制御部１３９のバネが縮む。また、歯車部８６とともに円板８８および円板８９が回転する。
【０１４３】
操作ボタン９２の押し操作を行うと、凸部７６は、第２部材３２のスライドカム３２ａに接する。これにより、スライドカム３２ａの傾斜面に従って、第２部材３２に操作力が伝達され、第２部材３２がスライドする。
【０１４４】
図１７（ｅ）および図１７（ｆ）は、さらに操作ボタン９２を押し込み、操作ボタン９２が最下点位置にある状態を表す。図１７（ｅ）および図１７（ｆ）に表した状態は、それぞれ、図１７（ｃ）および図１７（ｄ）の後の状態である。  
操作ボタン９２の押し操作にともなって、第２部材３２は、さらにスライド移動する。これにより、第２部材３２は、発電部２２の可動部２２ｂをさらに押し込み、発電が行われる。発電部２２から供給される電力によって、制御部２６（マイコン４０）が起動し、検出部からの信号を待っている状態となる。なお、この時点では、磁石２１ｅは設定２に対応するホール素子２１ｆの検出範囲外に位置するため、制御部２６から設定状態を変更する信号は送信されない。
【０１４５】
また、操作ボタン９２の押し操作にともなって、歯車部８６がさらに回転する。そして、操作ボタン９２が最下点位置に達した際には、図１７（ｅ）の領域Ｒ１に表したように、歯８６ｔが点線Ｌ１を通過した状態となる。
【０１４６】
図１８（ａ）および図１８（ｂ）は、それぞれ、図１７（ｅ）および図１７（ｆ）の後の状態を表す。この状態では、発電部２２における発電が完了し、操作ボタン９２の押し操作が解除されている。このとき、弾性力によって、発電部２２の可動部２２ｂ、第２部材３２および伝達部材４２は、それぞれ、元の位置に戻る方向に移動する。この時点では、磁石２１ｅは設定２に対応するホール素子２１ｆの検出範囲外に位置する。
【０１４７】
図１８（ｃ）および図１８（ｄ）は、それぞれ、図１８（ａ）および図１８（ｂ）の後の状態を表す。この状態では、回転制御部１３９の縮んでいたバネ等の弾性力が、可動部３９を介して歯８６ｔに伝達される。この力によって歯車部８６は、さらに回転する。この時点でも、磁石２１ｅは設定２に対応するホール素子２１ｆの検出範囲外である。
【０１４８】
図１８（ｅ）および図１８（ｆ）は、それぞれ、図１８（ｃ）および図１８（ｄ）の後の状態を表す。この状態は、回転部１３７の回転が完了した状態である。歯車部８６がさらに回転すると、図１８（ｅ）に表したように、可動部３９が歯８６ｔ同士の間に収まり、回転が停止する。このとき、歯車部８６と共に回転した円板８８によって、使用者に設定２が表示されている。そして、磁石２１ｅは、設定２に対応するホール素子２１ｆの検出範囲内に位置する。設定２に対応するホール素子２１ｆからの検出結果に基づいて、制御部２６は、衛生洗浄装置１２０の設定状態を設定２とする信号を送る。
【０１４９】
以上説明したように、操作ボタン９２の押し操作によって、回転部１３７を反時計回りに回転させて、衛生洗浄装置１２０の設定状態を変更することができる。操作ボタン９１を押し操作した場合は、伝達部材４１によって、操作力が回転部１３７に伝達され回転部１３７が時計回りに回転する。この場合の回転部１３７の動作は、回転方向が図１７および図１８に関する説明と逆方向であること以外は、上述の操作ボタン９２の押し操作を行った場合と実質的に同様であるから、詳細な説明は省略する。
【０１５０】
なお、回転部が回転した角度によって表示される設定状態の検出方法は、上記に限ることなく、任意の方法でよい。例えば、回転部として、接点スイッチ、ダイアルスイッチ、ロータリスイッチ等を用いて設定状態を検出してもよい。  
図１９（ａ）〜図１９（ｄ）は、第２の実施形態に係る他の設定状態の検出方法を例示する模式図である。  
図１９（ａ）は、回転部２１０を例示する模式的平面図であり、図１９（ｂ）は、回転部２１０を例示する模式的斜視図である。回転部２１０は、表示部２１１と接点部２２２と操作軸２２３とを有する。表示部２１１には、操作軸２２３の周りに、衛生洗浄装置１２０の各設定状態に対応する数値が記される。これにより、表示部２１１によって、衛生洗浄装置１２０の設定状態が表示される。接点部２２２には、導電性の部材が用いられる。使用者は、操作軸２２３を回転させることで、表示部２１１と接点部２２２とを共に回転させることができる。また、使用者は、表示部２１１に直接触れて、回転させてもよい。言い換えると、操作軸２２３を操作せずに、表示部２１１を直接操作して、回転させる。
【０１５１】
図１９（ｃ）および図１９（ｄ）は、上記の回転部２１０を用いた検出方法を例示する模式的回路図である。検出部２１として、衛生洗浄装置１２０の各設定状態に対応して回路（配線Ｗ１１〜Ｗ１５）が設けられている。
【０１５２】
図１９（ｃ）に表した状態では、配線Ｗ１０と配線Ｗ１１とが接点部２２２を介して電気的に接続されている。これにより、配線Ｗ１１に対応した衛生洗浄装置１２０の設定状態が検出される。ここで、操作軸２２３または表示部２１１を回転操作する。操作軸２２３及び表示部２１１の回転動作によって、接点部２２２を回転させる。これにより、図１９（ｄ）に表したように、配線Ｗ１０と配線Ｗ１２とが接点部２２２を介して電気的に接続される。これにより、配線Ｗ１２に対応した衛生洗浄装置１２０の設定状態が検出される。
【０１５３】
上記以外については、回転部２１０を用いた設定状態の変更方法は、前述の変更部１３ａの場合と実質的に同様である。例えば、変更部１３ａと同様にカム等の部材を用いて、操作軸の回転操作の操作力を第２部材３２に伝達する伝達部を設けることができる。これにより、前述の変更部１３ａと同様に発電部２２が発電する電力によって、制御部２６は、設定状態を判別し、設定状態を変更する信号を衛生洗浄装置１２０に送ることができる。使用者は、操作軸２２３を回転させることで、衛生洗浄装置の設定状態を変更することができるため、リモコン装置の使用感を向上させることができる。また、回転部の構成を簡易にすることができる。
【０１５４】
なお、操作軸２２３の形状は、任意に変更可能であり、例えば、操作用のつまみ等を適宜設けてもよい。また、回転部２１０に操作軸２２３を設けず、使用者が表示部２１１を直接回転させる構造を用いてもよい。また、以上説明した回転部においては、回転軸がリモコン装置の前面に対して略垂直であるが、回転軸をリモコン装置の前面に対して略平行としてもよい。例えば、回転部として、ドラム式の表示部を指などで回転させる、いわゆるサムホイールを用いてもよい。この場合、衛生洗浄装置の設定状態を表示する数値が記される箇所や操作力の伝達機構等は、適宜変更可能である。
【０１５５】
以上説明したリモコン装置においては、電力を消費せずに衛生洗浄装置１２０の設定状態を表示するため、変更部の一部に印字された数字を用いている。ここで、「電力を消費せずに表示する」とは、表示中に電力を消費しないことをいい、表示を変更する際には電力が消費されてもよい。例えば、電力を消費しない表示方法として、表示中には電力を消費しないが、表示の書き換え時には電力を消費する電子ペーパー等を用いてもよい。電子ペーパーでは、帯電した粒子に電界を印加して移動させることで、文字等を表示することができる。移動した粒子は、電界の印加を止めると移動しにくいため、表示中に電力を消費せずに、設定状態の表示が可能である。実施形態においては、衛生洗浄装置の設定状態を表示する方法は、上記に限られず、表示中に電力を消費しない任意の方法でよい。
【０１５６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、操作ボタン、変更部、制御部、発電部、および伝達部などが備える各要素の形状、寸法、材質、配置などや操作ボタン、変更部、制御部、発電部、および伝達部の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１５７】
１０、１０ａ、１０ｂ リモコン装置、  １２、１２ａ〜１２ｅ 操作ボタン、  １２ｐ 傾斜面、  １３、１３ａ、１３ｂ 変更部、  １４ リモコン本体、  ２０ 検出部、  ２０ａ ホール素子、  ２０ｂ 磁石、  ２１ 検出部、  ２１ａ ホール素子、  ２１ｂ 磁石、  ２１ｃ 磁石、  ２１ｄ ホール素子、  ２１ｅ 磁石、  ２１ｆ ホール素子、  ２１ｒ 検出範囲、  ２２ 発電部、  ２２ａ 本体モジュール、  ２２ｂ 可動部、  ２４ 電源部、  ２６ 制御部、  ２８ クリック機構、  ３０、３１ 伝達部、  ３１ 第１部材、  ３１ａ、３１ｂ スライドカム、  ３１ｃ 傾斜面、  ３２ 第２部材、  ３２ａ スライドカム、  ３３ 第３部材、  ３３ａ スライドカム、  ３４ 連結部材、  ３５ 可動部、  ３６ 回転カム、  ３８ 伝達機構、  ３９ 可動部、  ４０ マイコン、  ４１、４２ 伝達部材、  ４３ 高周波発生回路、  ４４ 送信部、  ５０ 蓄電素子、  ５１ 第１部材、  ７１〜７５ 凸部、  ８１ 表示部、  ８２ 傾斜部、  ８３ 基材、  ８３ｐ 面、  ８４ 歯車部、  ８４ｔ 歯、  ８６ 歯車部、  ８６ｔ 歯、  ８８、８９ 円板、  ８９ 円板、  ９１、９２ 操作ボタン、  ９２ 操作ボタン、  １００ トイレ装置、  １１０ 便器、  １２０ 衛生洗浄装置、  １２４ 便座、  １２８ ノズル、  １３０ 変更部、  １３１ 操作部、  １３１ａ、１３１ｂ 傾斜面、  １３２ 表示部、  １３３ 回転部、  １３３ａ 回転軸、  １３４ 開口部、  １３５ 回転制御部、  １３６ 開口部、  １３７ 回転部、  １３７ａ 回転軸、  １３９ 回転制御部、  １４１ 溝、  ２００ 壁面、  ２１０ 回転部、  ２１１ 表示部、  ２２２ 接点部、  ２２３ 操作軸、  Ｌ１ 点線、  Ｐ１〜Ｐ５ 第１〜第５位置、  Ｒ１ 領域、  Ｗ０、Ｗ１０〜Ｗ１５、Ｗ１〜Ｗ５ 配線
【図１】
0006617908.tif 000002
【図２】
0006617908.tif 000003
【図３】
0006617908.tif 000004
【図４】
0006617908.tif 000005
【図５】
0006617908.tif 000006
【図６】
0006617908.tif 000007
【図７】
0006617908.tif 000008
【図８】
0006617908.tif 000009
【図９】
0006617908.tif 000010
【図１０】
0006617908.tif 000011
【図１１】
0006617908.tif 000012
【図１２】
0006617908.tif 000013
【図１３】
0006617908.tif 000014
【図１４】
0006617908.tif 000015
【図１５】
0006617908.tif 000016
【図１６】
0006617908.tif 000017
【図１７】
0006617908.tif 000018
【図１８】
0006617908.tif 000019
【図１９】
0006617908.tif 000020